(57)【要約】【課題】特性試験作業の迅速化が図れるとともに人為的ミスを防止することができる移動無線機特性試験器および方法を提供する。【解決手段】移動無線機特性試験器１０は、移動無線機１１０のアンテナ接続端子１１２およびハンドマイク接続端子１１３に同軸ケーブル１３１および携帯用プレス信号接続ケーブル３１を介してそれぞれ接続される試験信号端子１３および携帯用プレス信号端子１４と、下りチャンネル周波数の試験信号を移動無線機１１０に同軸ケーブル１３１を介して１チャンネルずつ送信する試験信号送信手段と、試験信号を送信してから遅れ時間経過後に携帯用プレス信号を移動無線機１１０に携帯用プレス信号接続ケーブル３１を介して送信するプレス信号送信手段と、携帯用プレス信号に応答して移動無線機１１０から送信されてくる試験信号に基づいて移動無線機１１０の良否判定を行う良否判定手段とを具備する。【選択図】図３
2011071812.tif 000002
【特許請求の範囲】
【請求項１】
ハンドマイク接続端子（１１３）またはハンズフリー用端子を備えた移動無線機（１１０）の良否判定を行うための移動無線機特性試験器（１０）であって、
前記移動無線機のアンテナ接続端子（１１２）に同軸ケーブル（１３１）を介して接続される試験信号端子（１３）と、
前記移動無線機の前記ハンドマイク接続端子または前記ハンズフリー用端子にプレス信号接続ケーブル（３１）を介して接続されるプレス信号端子（１４，１５）と、
チャンネルごとに予め定められたチャンネル周波数の試験信号を前記移動無線機に前記同軸ケーブルを介して１チャンネルずつ送信する試験信号送信手段（２２〜２４）と、
前記試験信号を送信してから遅れ時間経過後にプレス信号を前記移動無線機に前記プレス信号接続ケーブルを介して送信するプレス信号送信手段（２５）とを具備し、
前記移動無線機に、前記プレス信号に応答して前記試験信号のチャンネル周波数と１：１に対応する他のチャンネル周波数の他の試験信号を所定の送信電力で前記移動無線機特性試験器に前記同軸ケーブルを介して送信させる、
ことを特徴とする、移動無線機特性試験器。
【請求項２】
前記他の試験信号に基づいて該移動無線機の良否判定を行う良否判定手段（２６〜２８）をさらに具備することを特徴とする、請求項１記載の移動無線機特性試験器。
【請求項３】
前記良否判定手段による良否判定結果を出力するための外部機器と接続される外部機器接続端子（１６，１７）と、
前記良否判定手段による良否判定結果を示す良否判定結果出力用データを生成し、該生成した良否判定結果出力用データを前記外部機器に前記外部機器接続端子を介して出力する良否判定結果出力用データ生成手段（２９）と、
をさらに具備することを特徴とする、請求項２記載の移動無線機特性試験器。
【請求項４】
前記遅れ時間が、前記試験信号を前記移動無線機に送信してから該移動無線機における受信チャンネルのオートサーチに要する時間よりも長い時間であることを特徴とする、請求項１乃至３いずれかに記載の移動無線機特性試験器。
【請求項５】
前記良否判定手段が、前記他の試験信号の受信電力および周波数偏差を測定することにより前記移動無線機の良否判定を行うことを特徴とする、請求項１乃至４いずれかに記載の移動無線機特性試験器。
【請求項６】
ハンドマイク接続端子（１１３）またはハンズフリー用端子を備えた移動無線機（１１０）の良否判定を移動無線機特性試験器（１０）を用いて行う移動無線機特性試験方法であって、
前記移動無線機のアンテナ接続端子（１１２）と前記移動無線機特性試験器の試験信号端子（１３）とを同軸ケーブル（１３１）を介して接続し、
前記移動無線機の前記ハンドマイク接続端子または前記ハンズフリー用端子と前記移動無線機特性試験器のプレス信号端子（１４，１５）とをプレス信号接続ケーブル（３１）を介して接続し、
チャンネルごとに予め定められたチャンネル周波数の試験信号を前記移動無線機特性試験器から前記移動無線機に前記同軸ケーブルを介して１チャンネルずつ送信し、
前記試験信号を送信してから遅れ時間経過後にプレス信号を前記移動無線機特性試験器から前記移動無線機に前記プレス信号接続ケーブルを介して送信して、前記移動無線機に対して該試験信号のチャンネル周波数と１：１に対応する他のチャンネル周波数の他の試験信号を所定の送信電力で前記移動無線機特性試験器に前記同軸ケーブルを介して送信させ、
前記プレス信号の送信後に前記移動無線機から前記同軸ケーブルを介して送信されてくる他の試験信号の受信電力および周波数偏差を前記移動無線機特性試験器によって測定して前記移動無線機の良否判定を行う、
ことを特徴とする、移動無線機特性試験方法。
【請求項７】
前記遅れ時間が、前記試験信号を前記移動無線機に送信してから該移動無線機における受信チャンネルのオートサーチに要する時間よりも長い時間であることを特徴とする、請求項６記載の移動無線機特性試験方法。
【発明の詳細な説明】
【技術分野】
【０００１】
本発明は、移動無線機特性試験器および方法に関し、特に、ハンドマイク接続端子またはハンズフリー用端子を備えたデジタル移動無線機の良否判定を行うのに好適な移動無線機特性試験器および方法に関する。
【背景技術】
【０００２】
従来、電力会社などで使用されているデジタル移動無線機（以下、「移動無線機」と称する。）としては、携帯用移動無線機と車載用移動無線機とがあり、１事業所当り４０〜５０台程度配備されている。
また、移動無線機のチャンネルは、図７に示すように、１〜４５チャンネル（チャンネル間隔＝６．２５ｋＨｚ）ほどあり、上りチャンネル周波数と下りチャンネル周波数とは１：１の対応関係を有する。
【０００３】
このような移動無線機の特性試験は、以下に示す手順に従って行われている（図８参照）。なお、以下の説明では、移動無線機１１０はハンドマイク接続端子１１３を備えた携帯用移動無線機であるとする。
（手順１）試験員は、アンテナ１１１を移動無線機１１０のアンテナ接続端子１１２から取り外し、移動無線機１１０のアンテナ接続端子１１２と特性測定器１２０の測定用信号端子１２４とを同軸ケーブル１３１を介して接続する。
（手順２）試験員は、特性測定器１２０のチャンネル周波数設定ボタン１２１を用いて、特性測定器１２０のチャンネル周波数を１チャンネルの下りチャンネル周波数（＝３８４．６７５００ＭＨｚ）に設定する。
（手順３）試験員は、特性測定器１２０の測定開始スイッチ１２２（ボタンスイッチ）を押す。これにより、周波数が３８４．６７５００ＭＨｚの測定用信号（搬送波信号）が特性測定器１２０から移動無線機１１０に同軸ケーブル１３１を介して送信される。このとき、移動無線機１１０では、この測定用信号を受信すると、受信した測定用信号の周波数（＝３８４．６７５００ＭＨｚ）に対応する上りチャンネル周波数（＝３６６．６７５００ＭＨｚ）が自動で設定される。
（手順４）試験員は、移動無線機１１０のハンドマイク接続端子１１３に接続されているハンドマイク１２０のプレスボタンを押す。これにより、周波数が３６６．６７５００ＭＨｚの測定用信号（搬送波信号）が所定の送信電力（携帯用移動無線機では１Ｗ、車載用移動無線機では２Ｗ）で移動無線機１１０から特性測定器１２０に同軸ケーブル１３１を介して送信される。このとき、特性測定器１２０では、受信した測定用信号に基づいて受信電力および上りチャンネル周波数の周波数偏差が測定されて、測定結果が上りチャンネル周波数および下りチャンネル周波数と共に表示装置１２３に表示される。
（手順５）試験員は、特性測定器１２０の表示装置１２３に表示された上りチャンネル周波数、下りチャンネル周波数、受信電力および周波数偏差を特性測定用紙に書き写したのち、移動無線機１１０の良否判定を行って、良否判定結果を特性測定用紙に記載する。
（手順６）試験員は、特性測定器１２０のチャンネル周波数設定ボタン１２１を用いて、特性測定器１２０のチャンネル周波数を２チャンネルの下りチャンネル周波数（＝３８４．６８１２５ＭＨｚ）に設定する。
以下、手順３から手順６が４５チャンネルまで繰り返される。
【０００４】
なお、移動無線機の良否判定は、以下に示す良否判定基準に従って行われる。
（１）携帯用移動無線機用の良否判定基準
測定された受信電力が空中線電力（１Ｗ）の上限の２０％および下限の５０％の範囲内であり、かつ、測定された周波数偏差が０．９×１０-6以内であると、「良」と判定する。
（２）車載用移動電話用の良否判定基準
測定された受信電力が空中線電力（２Ｗ）の上限の２０％および下限の５０％の範囲内であり、かつ、測定された周波数偏差が０．９×１０-6以内であると、「良」と判定する。
【０００５】
なお、下記の特許文献１には、簡潔で経済的な試験系を実現するために、無線機のアンテナ端子より出力される送信波を測定することにより送信部を試験するとともに、無線機の送信波の一部を取り出して、その周波数を受信周波数に変換して、無線機のアンテナ端子に入力し、これを無線機の受信部にて復調して、受信部の特性を試験するように構成した、送信周波数と受信周波数とが異なる同時双方向通信用無線機の試験方法が開示されている。
【先行技術文献】
【特許文献】
【０００６】
【特許文献１】特開平７−２１２３２４号公報
【発明の概要】
【発明が解決しようとする課題】
【０００７】
しかしながら、上述した従来の移動無線機特性試験方法では、実際に使用されるチャンネル（数チャンネル）しか実装されていない旧来の移動無線機の特性試験を行う場合には手順３から手順６を数回程度繰り返すだけでよかったが、規格上送受信可能な全チャンネル（４５チャンネル）が実装されている現在の移動無線機の特性試験を行う場合には手順３から手順６を４４回繰り返す必要があるため、時間を要していた。特に、移動無線機の特性試験は事業所ごとに一度に数十台の移動無線機に対して行われるため、特性試験作業には非常に時間がかかっていた。
また、試験員が特性測定器１２０のチャンネル周波数設定を行っているため、人為的ミスによる測定漏れが生じたりすることもあった。
【０００８】
本発明の目的は、特性試験作業の迅速化が図れるとともに人為的ミスを防止することができる移動無線機特性試験器および方法を提供することにある。
【課題を解決するための手段】
【０００９】
本発明の移動無線機特性試験器は、ハンドマイク接続端子（１１３）またはハンズフリー用端子を備えた移動無線機（１１０）の良否判定を行うための移動無線機特性試験器（１０）であって、前記移動無線機のアンテナ接続端子（１１２）に同軸ケーブル（１３１）を介して接続される試験信号端子（１３）と、前記移動無線機の前記ハンドマイク接続端子または前記ハンズフリー用端子にプレス信号接続ケーブル（３１）を介して接続されるプレス信号端子（１４，１５）と、チャンネルごとに予め定められたチャンネル周波数の試験信号を前記移動無線機に前記同軸ケーブルを介して１チャンネルずつ送信する試験信号送信手段（２２〜２４）と、前記試験信号を送信してから遅れ時間経過後にプレス信号を前記移動無線機に前記プレス信号接続ケーブルを介して送信するプレス信号送信手段（２５）とを具備し、前記移動無線機に、前記プレス信号に応答して前記試験信号のチャンネル周波数と１：１に対応する他のチャンネル周波数の他の試験信号を所定の送信電力で前記移動無線機特性試験器に前記同軸ケーブルを介して送信させることを特徴とする。
ここで、前記他の試験信号に基づいて該移動無線機の良否判定を行う良否判定手段（２６〜２８）をさらに具備してもよい。
前記良否判定手段による良否判定結果を出力するための外部機器と接続される外部機器接続端子（１６，１７）と、前記良否判定手段による良否判定結果を示す良否判定結果出力用データを生成し、該生成した良否判定結果出力用データを前記外部機器に前記外部機器接続端子を介して出力する良否判定結果出力用データ生成手段（２９）とをさらに具備してもよい。
前記遅れ時間が、前記試験信号を前記移動無線機に送信してから該移動無線機における受信チャンネルのオートサーチに要する時間よりも長い時間であってもよい。
前記良否判定手段が、前記他の試験信号の受信電力および周波数偏差を測定することにより前記移動無線機の良否判定を行ってもよい。
本発明の移動無線機特性試験方法は、ハンドマイク接続端子（１１３）またはハンズフリー用端子を備えた移動無線機（１１０）の良否判定を移動無線機特性試験器（１０）を用いて行う移動無線機特性試験方法であって、前記移動無線機のアンテナ接続端子（１１２）と前記移動無線機特性試験器の試験信号端子（１３）とを同軸ケーブル（１３１）を介して接続し、前記移動無線機の前記ハンドマイク接続端子または前記ハンズフリー用端子と前記移動無線機特性試験器のプレス信号端子（１４，１５）とをプレス信号接続ケーブル（３１）を介して接続し、チャンネルごとに予め定められたチャンネル周波数の試験信号を前記移動無線機特性試験器から前記移動無線機に前記同軸ケーブルを介して１チャンネルずつ送信し、前記試験信号を送信してから遅れ時間経過後にプレス信号を前記移動無線機特性試験器から前記移動無線機に前記プレス信号接続ケーブルを介して送信して、前記移動無線機に対して該試験信号のチャンネル周波数と１：１に対応する他のチャンネル周波数の他の試験信号を所定の送信電力で前記移動無線機特性試験器に前記同軸ケーブルを介して送信させ、前記プレス信号の送信後に前記移動無線機から前記同軸ケーブルを介して送信されてくる他の試験信号の受信電力および周波数偏差を前記移動無線機特性試験器によって測定して前記移動無線機の良否判定を行うことを特徴とする。
ここで、前記遅れ時間が、前記試験信号を前記移動無線機に送信してから該移動無線機における受信チャンネルのオートサーチに要する時間よりも長い時間であってもよい。
【発明の効果】
【００１０】
本発明の移動無線機特性試験器および方法は、以下に示す効果を奏する。
（１）試験信号を送信してから遅れ時間経過後に移動無線機特性試験器から移動無線機に送信したプレス信号に応答して移動無線機に他の試験信号を移動無線機特性試験器に送信させることにより、試験員は移動無線機のハンドマイクのプレスボタンをチャンネルごとに押す必要がなくなるため、特性試験作業の迅速化が図れる。
（２）プレス信号の送信後に移動無線機から送信されてくる他の試験信号に基づいて移動無線機特性試験器において移動無線機の良否判定を行うことにより、試験員による移動無線機の良否判定をなくすことができるため、特性試験作業の迅速化が図れる。
（３）試験員は移動無線機特性試験器のチャンネル周波数設定を行う必要がないため、人為的ミスによる測定漏れをなくすことができる。
【図面の簡単な説明】
【００１１】
【図１】本発明の一実施例による特性試験器１０の構成を示す図である。
【図２】図１に示した特性試験器１０の構成を示すブロック図である。
【図３】図１に示した特性試験器１０を用いて図８に示した移動無線機１１０の特性試験を行う方法について説明するための図である。
【図４】図１に示した特性試験器１０を用いて図８に示した移動無線機１１０の特性試験を行う方法について説明するためのフローチャートである。
【図５】図１に示した特性試験器１０を用いて図８に示した移動無線機１１０の特性試験を行う方法について説明するためのフローチャートである。
【図６】図２に示した印字データ・ＣＳＶデータ生成部２９によって生成される印字データに基づいてプリント出力される良否判定結果表の一例を示す図である。
【図７】移動無線機の上りチャンネル周波数と下りチャンネル周波数との対応関係を示す図である。
【図８】従来の移動無線機特性試験方法について説明するための図である。
【発明を実施するための形態】
【００１２】
上記の目的を、チャンネルごとに予め定められたチャンネル周波数の試験信号を移動無線機特性試験器から移動無線機に同軸ケーブルを介して１チャンネルずつ送信し、試験信号を送信してから遅れ時間経過後にプレス信号を移動無線機特性試験器から移動無線機にプレス信号接続ケーブルを介して送信して、移動無線機に対して試験信号のチャンネル周波数と１：１に対応する他のチャンネル周波数の他の試験信号を所定の送信電力で移動無線機特性試験器に同軸ケーブルを介して送信させ、プレス信号の送信後に移動無線機から同軸ケーブルを介して送信されてくる他の試験信号の受信電力および周波数偏差を移動無線機特性試験器によって測定して移動無線機の良否判定を行うことにより実現した。
【実施例１】
【００１３】
以下、本発明の移動無線機特性試験器および方法の実施例について図面を参照して説明する。
【００１４】
本発明の一実施例による移動無線機特性試験器（以下、「特性試験器１０」と称する。）は、図１に示すように、試験開始スイッチ１１（ボタンスイッチ）と、試験完了ランプ１２と、移動無線機のアンテナ端子に同軸ケーブルを介して接続される試験信号端子１３と、携帯用移動無線機のハンドマイク接続端子またはハンズフリー用端子に携帯用プレス信号接続ケーブルを介して接続される携帯用プレス信号端子１４と、車載用移動無線機のハンドマイク接続端子またはハンズフリー用端子に車載用プレス信号接続ケーブルを介して接続される車載用プレス信号端子１５と、特性試験器１０をプリンタ（不図示）に接続するためのプリンタ接続端子１６と、特性試験器１０をパーソナルコンピュータ（不図示）に接続するためのＰＣ接続端子１７とを具備する。
ここで、プリンタおよびパーソナルコンピュータは、移動無線機の良否判定結果を出力するための外部機器として機能し、プリンタ接続端子１６およびＰＣ接続端子１７は、良否判定結果を出力するための外部機器と接続される外部機器接続端子として機能する。
【００１５】
また、特性試験器１０は、図２に示すように、制御部２１と、チャンネル周波数メモリ（ＣＨ周波数メモリ）２２と、試験信号生成部２３と、試験信号送受信部２４と、プレス信号送信部２５と、受信電力・周波数偏差測定部２６と、良否判定部２７と、良否判定用メモリ２８と、印字データ・ＣＳＶデータ生成部２９とを具備する。
【００１６】
ここで、制御部２１は、試験信号生成部２３、プレス信号送信部２５、受信電力・周波数偏差測定部２６、良否判定部２７および印字データ・ＣＳＶデータ生成部２９を制御する。
たとえば、制御部２１は、試験員によって試験開始スイッチ１１が押されると、試験開始信号を試験信号生成部２３および受信電力・周波数偏差測定部２６に出力したのち、遅れ時間（試験信号を移動無線機に送信してから移動無線機における受信チャンネルのオートサーチに要する時間（たとえば、５秒）よりも長い時間）経過後にプレス信号送信指示信号をプレス信号送信部２５に出力する。
また、制御部２１は、受信電力・周波数偏差測定部２６から測定完了信号が入力されると、チャンネル切換信号を試験信号生成部２３および受信電力・周波数偏差測定部２６に出力したのち、上述した遅れ時間経過後にプレス信号送信指示信号をプレス信号送信部２５に出力する。
さらに、制御部２１は、移動無線機の全チャンネルについて受信電力および周波数偏差の測定が完了すると、良否判定指示信号を良否判定部２７に出力する。
さらにまた、制御部２１は、良否判定部２７から良否判定完了信号が入力されると、印字データ・ＣＳＶデータ生成指示信号を印字データ・ＣＳＶデータ生成部２９に出力するとともに、試験完了ランプ１２を点灯させる。
【００１７】
チャンネル周波数メモリ２２には、移動無線機の上りチャンネル周波数と下りチャンネル周波数とのチャンネル周波数組合せパターン（図７参照）が格納されている。
【００１８】
試験信号生成部２３は、制御部２１から試験開始信号が入力されると、チャンネル周波数メモリ２２に格納されているチャンネル周波数組合せパターンを参照して、試験対象となる移動無線機の１チャンネルの下りチャンネル周波数を読み取って、読み取った下りチャンネル周波数の試験信号（搬送波信号）を生成する。
また、試験信号生成部２３は、制御部２１からチャンネル切換信号が入力されるたびに、チャンネル周波数メモリ２２に格納されているチャンネル周波数組合せパターンを参照して、試験対象となる移動無線機の次のチャンネルの下りチャンネル周波数を読み取って、読み取った下りチャンネル周波数の試験信号を生成する。
【００１９】
試験信号送受信部２４は、試験信号生成部２３によって生成された試験信号を試験信号端子１３に出力するとともに、試験信号端子１３を介して入力される移動無線機からの試験信号（搬送波信号）を受信し、受信した試験信号を受信電力・周波数偏差測定部２６に出力する。
【００２０】
プレス信号送信部２５は、制御部２１からプレス信号送信指示信号が入力されるたびに、携帯用プレス信号を携帯用プレス信号端子１４に出力するとともに、車載用プレス信号を車載用プレス信号端子１５に出力する。
【００２１】
受信電力・周波数偏差測定部２６は、制御部２１から試験開始信号またはチャンネル切換信号が入力されると、その後に試験信号送受信部２４から入力される移動無線機からの試験信号に基づいて受信電力および上りチャンネル周波数の周波数偏差を測定し、測定した受信電力および周波数偏差を上りチャンネル周波数および下りチャンネル周波数に対応させて良否判定用メモリ２８に格納する。
また、受信電力・周波数偏差測定部２６は、測定した受信電力および周波数偏差を良否判定用メモリ２８に格納すると、測定完了信号を制御部２１に出力する。
【００２２】
良否判定部２７は、制御部２１から良否判定指示信号が入力されると、良否判定用メモリ２８に格納されている受信電力および周波数偏差に基づいて移動無線機の良否判定を行い、良否判定結果を良否判定用メモリ２８に格納する。このとき、良否判定部２７は、良否判定用メモリ２８に格納されている携帯用移動無線機用の良否判定基準および車載用移動無線機用の良否判定基準のいずれか一方を受信電力の大きさに応じて選択し、選択した良否判定基準を参照して良否判定を行う。
また、良否判定部２７は、良否判定結果を良否判定用メモリ２８に格納すると、良否判定完了信号を制御部２１に出力する。
【００２３】
印字データ・ＣＳＶデータ生成部２９は、制御部２１から印字データ・ＣＳＶデータ生成指示信号が入力されると、良否判定用メモリ２８から受信電力、周波数偏差および良否判定結果などを読み出して、読み出した受信電力、周波数偏差および良否判定結果などを示す印字データおよびＣＳＶデータ（良否判定結果出力用データ）を生成する。
生成された印字データは、プリンタからの出力指示信号に応じて、プリンタ接続端子１６を介してプリンタに出力される。同様に、生成されたＣＶＳデータは、パーソナルコンピュータからの出力指示信号に応じて、ＰＣ接続端子１７を介してパーソナルコンピュータに出力される。
【００２４】
次に、本実施例による特性試験器１０を用いて図８に示した移動無線機１１０（携帯用移動無線機）の特性試験を行う方法（本発明の一実施例による移動無線機特性試験方法）について、図３から図６を参照して説明する。
なお、以下の説明では、チャンネル周波数メモリ２２には、図７に示した移動無線機１１０の上りチャンネル周波数と下りチャンネル周波数とのチャンネル周波数組合せパターンが予め格納されているものとする。
【００２５】
試験員は、図３に示すように、ハンドマイク１１２を移動無線機１１０のハンドマイク接続端子１１３から取り外して、移動無線機１１０のハンドマイク接続端子１１３と特性試験器１０の携帯用プレス信号端子１４とを携帯用プレス信号接続ケーブル３１を介して接続する。
また、アンテナ１１１を移動無線機１１０のアンテナ接続端子１１２から取り外して、移動無線機１１０のアンテナ接続端子１１２と特性試験器１０の試験信号端子１３とを同軸ケーブル１３１を介して接続する（以上、図４のステップＳ１１）。
【００２６】
続いて、試験員は特性試験器１０の試験開始スイッチ１１を押す（ステップＳ１２）。
【００２７】
試験開始スイッチ１１が押されると、特性試験器１０の制御部２１は、試験開始信号を試験信号生成部２３および受信電力・周波数偏差測定部２６に出力する（ステップＳ１３）。
【００２８】
試験信号生成部２３は、チャンネル周波数メモリ２２に格納されているチャンネル周波数組合せパターンを参照して、移動無線機１１０の１チャンネルの下りチャンネル周波数（＝３８４．６７５００ＭＨｚ）を読み取って、読み取った下りチャンネル周波数（＝３８４．６７５００ＭＨｚ）の試験信号を生成し、生成した試験信号を試験信号送受信部２４に出力する。
試験信号送受信部２４は、試験信号生成部２３から入力される試験信号を試験信号端子１３に出力する（以上、ステップＳ１４）。
これにより、１チャンネルの試験信号が同軸ケーブル１３１を介して移動無線機１１０に送信される。移動無線機１１０では、この試験信号を受信すると、受信した試験信号の周波数（＝３８４．６７５００ＭＨｚ）に対応する上りチャンネル周波数（＝３６６．６７５００ＭＨｚ）が自動で設定される。
【００２９】
制御部２１は、試験開始信号を試験信号生成部２３および受信電力・周波数偏差測定部２６に出力してから上述した遅れ時間が経過すると、プレス信号送信指示信号をプレス信号送信部２５に出力する。
プレス信号送信部２５は、プレス信号送信指示信号に応じて、携帯用プレス信号を携帯用プレス信号端子１４に出力するとともに、車載用プレス信号を車載用プレス信号端子１５に出力する（以上、ステップＳ１５）
これにより、携帯用プレス信号が携帯用プレス信号接続ケーブル３１を介して移動無線機１１０に送信される。移動無線機１１０は、携帯用プレス信号に応答して、周波数が３６６．６７５００ＭＨｚの試験信号を所定の送信電力（１Ｗ）で同軸ケーブル１３１を介して特性試験器１０に送信する。
【００３０】
試験信号送受信部２４は、移動無線機１１０からの試験信号を受信すると、受信した試験信号を受信電力・周波数偏差測定部２６に出力する（ステップＳ１６）。
【００３１】
受信電力・周波数偏差測定部２６は、試験信号送受信部２４から入力される移動無線機１１０からの試験信号に基づいて受信電力および上りチャンネル周波数（＝３６６．６７５００ＭＨｚ）の周波数偏差を測定し、測定した受信電力および周波数偏差を上りチャンネル周波数（＝３６６．６７５００ＭＨｚ）および下りチャンネル周波数（＝３８４．６７５００ＭＨｚ）に対応させて良否判定用メモリ２８に格納したのち、測定完了信号を制御部２１に出力する（ステップＳ１７）。
【００３２】
制御部２１は、受信電力・周波数偏差測定部２６から測定完了信号が入力されると、チャンネル切換信号を試験信号生成部２３および受信電力・周波数偏差測定部２６に出力する（ステップＳ１８）。
【００３３】
試験信号生成部２３は、制御部２１からチャンネル切換信号が入力されると、チャンネル周波数メモリ２２に格納されているチャンネル周波数組合せパターンを参照して、移動無線機１１０の次のチャンネルである２チャンネルの下りチャンネル周波数（＝３８４．６８１２５ＭＨｚ）を読み取って、読み取った下りチャンネル周波数の試験信号を生成する（ステップＳ１４）。
【００３４】
以降、ステップＳ１５〜Ｓ１８の動作が行われたのち、ステップＳ１４〜Ｓ１８の動作が４５チャンネルまで繰り返される。
【００３５】
制御部２１は、受信電力・周波数偏差測定部２６から４５チャンネルの測定完了信号が入力されると、良否判定指示信号を良否判定部２７に出力する（図５のステップＳ１９）。
【００３６】
良否判定部２７は、制御部２１から良否判定指示信号が入力されると、良否判定用メモリ２８に格納されている各チャンネルの受信電力および周波数偏差に基づいて移動無線機１１０の良否判定を行い、良否判定結果を良否判定用メモリ２８に格納したのち、良否判定完了信号を制御部２１に出力する（ステップＳ２０）。
このとき、良否判定部２７は、受信電力が１Ｗ程度であるため、良否判定用メモリ２８に格納されている携帯用移動無線機用の良否判定基準および車載用移動無線機用の良否判定基準のうち携帯用移動無線機用の良否判定基準を選択して、選択した携帯用移動無線機用の良否判定基準を参照して良否判定を行う。
【００３７】
制御部２１は、良否判定部２７から良否判定完了信号が入力されると、印字データ・ＣＳＶデータ生成指示信号を印字データ・ＣＳＶデータ生成部２９に出力するとともに、試験完了ランプ１２を点灯させる（ステップＳ２１）。
【００３８】
印字データ・ＣＳＶデータ生成部２９は、制御部２１から印字データ・ＣＳＶデータ生成指示信号が入力されると、良否判定用メモリ２８から各チャンネルの受信電力、周波数偏差および良否判定結果を読み出して、読み出した各チャンネルの受信電力、周波数偏差および良否判定結果に基づいて印字データおよびＣＳＶデータを生成する（ステップＳ２２）。
図６に、印字データによってプリンタに出力される良否判定結果表の一例を示す。この例では、移動無線機１１０の各チャンネルについての受信電力およびその良否と周波数偏差およびその良否が記載された良否判定結果表がプリンタに出力される。
【００３９】
以上、携帯用移動無線機である移動無線機１１０の特性試験を行う方法について説明したが、車載用移動無線機の特性試験を行う場合には、携帯用移動無線機と車載用移動無線機とではプレス信号接続ケーブルが異なるため、ステップＳ１１において試験員がハンドマイクを車載用移動無線機のハンドマイク接続端子から取り外して車載用移動無線機のハンドマイク接続端子と特性試験器１０の車載用プレス信号端子１５とを車載用プレス信号接続ケーブルを介して接続する以外は、同様にして行われる。
【００４０】
なお、携帯用移動無線機と車載用移動無線機とではプレス信号接続ケーブルが異なるため、携帯用プレス信号端子１４および車載用プレス信号端子１５に携帯用プレス信号接続ケーブル３１および車載用プレス信号接続ケーブルがそれぞれ取り付けられたことを検出する検出手段（たとえば、圧力センサなど）をそれぞれ取り付けておき、制御部２１が、この検出手段の出力信号に基づいて試験対象の移動無線機が携帯用移動無線機か車載用移動無線機かを判定し、その判定結果に従って携帯用移動無線機用の良否判定基準および車載用移動無線機の良否判定基準の一方を良否判定部２７に選択させたり携帯用プレス信号および車載用プレス信号の一方をプレス信号送信部２５に出力させたりしてもよい。
【符号の説明】
【００４１】
１０  特性試験器
１１  試験開始スイッチ
１２  試験完了ランプ
１３  試験信号端子
１４  携帯用プレス信号端子
１５  車載用プレス信号端子
１６  プリンタ接続端子
１７  ＰＣ接続端子
２１  制御部
２２  チャンネル周波数メモリ（ＣＨ周波数メモリ）
２３  試験信号生成部
２４  試験信号送受信部
２５  プレス信号送信部
２６  受信電力・周波数偏差測定部
２７  良否判定部
２８  良否判定用メモリ
２９  印字データ・ＣＳＶデータ生成部
３１  携帯用プレス信号接続ケーブル
１１０  移動無線機
１１１  アンテナ
１１２  アンテナ接続端子
１１３  ハンドマイク接続端子
１２０  ハンドマイク
１２０  特性測定器
１２１  チャンネル周波数設定ボタン
１２２  測定開始スイッチ
１２３  表示装置
１２４  測定用信号端子
１３１  同軸ケーブル
Ｓ１１〜Ｓ２２  ステップ
【図１】
2011071812.tif 000003
【図２】
2011071812.tif 000004
【図３】
2011071812.tif 000005
【図４】
2011071812.tif 000006
【図５】
2011071812.tif 000007
【図６】
2011071812.tif 000008
【図７】
2011071812.tif 000009
【図８】
2011071812.tif 000010
【手続補正書】
【提出日】平成22年10月19日(2010.10.19)
【手続補正１】
【補正対象書類名】特許請求の範囲
【補正対象項目名】全文
【補正方法】変更
【補正の内容】
【特許請求の範囲】
【請求項１】
ハンドマイク接続端子（１１３）またはハンズフリー用端子を備えた移動無線機（１１０）の良否判定を行うための移動無線機特性試験器（１０）であって、
前記移動無線機のアンテナ接続端子（１１２）に同軸ケーブル（１３１）を介して接続される試験信号端子（１３）と、
前記移動無線機の前記ハンドマイク接続端子または前記ハンズフリー用端子にプレス信号接続ケーブル（３１）を介して接続されるプレス信号端子（１４，１５）と、
チャンネルごとに予め定められたチャンネル周波数の試験信号を前記移動無線機に前記同軸ケーブルを介して１チャンネルずつ送信する試験信号送信手段（２２〜２４）と、
前記試験信号を送信してから遅れ時間経過後にプレス信号を前記移動無線機に前記プレス信号接続ケーブルを介して送信するプレス信号送信手段（２５）とを具備し、
前記移動無線機に、前記プレス信号に応答して前記試験信号のチャンネル周波数と１：１に対応する他のチャンネル周波数の他の試験信号を所定の送信電力で前記移動無線機特性試験器に前記同軸ケーブルを介して送信させる、
ことを特徴とする、移動無線機特性試験器。
【請求項２】
前記他の試験信号に基づいて該移動無線機の良否判定を行う良否判定手段（２６〜２８）をさらに具備することを特徴とする、請求項１記載の移動無線機特性試験器。
【請求項３】
前記良否判定手段による良否判定結果を出力するための外部機器と接続される外部機器接続端子（１６，１７）と、
前記良否判定手段による良否判定結果を示す良否判定結果出力用データを生成し、該生成した良否判定結果出力用データを前記外部機器に前記外部機器接続端子を介して出力する良否判定結果出力用データ生成手段（２９）と、
をさらに具備することを特徴とする、請求項２記載の移動無線機特性試験器。
【請求項４】
前記良否判定手段が、前記他の試験信号の受信電力および周波数偏差を測定することにより前記移動無線機の良否判定を行うことを特徴とする、請求項２または３記載の移動無線機特性試験器。
【請求項５】
前記遅れ時間が、前記試験信号を前記移動無線機に送信してから該移動無線機における受信チャンネルのオートサーチに要する時間よりも長い時間であることを特徴とする、請求項１乃至４いずれかに記載の移動無線機特性試験器。
【請求項６】
ハンドマイク接続端子（１１３）またはハンズフリー用端子を備えた移動無線機（１１０）の良否判定を移動無線機特性試験器（１０）を用いて行う移動無線機特性試験方法であって、
前記移動無線機のアンテナ接続端子（１１２）と前記移動無線機特性試験器の試験信号端子（１３）とを同軸ケーブル（１３１）を介して接続し、
前記移動無線機の前記ハンドマイク接続端子または前記ハンズフリー用端子と前記移動無線機特性試験器のプレス信号端子（１４，１５）とをプレス信号接続ケーブル（３１）を介して接続し、
チャンネルごとに予め定められたチャンネル周波数の試験信号を前記移動無線機特性試験器から前記移動無線機に前記同軸ケーブルを介して１チャンネルずつ送信し、
前記試験信号を送信してから遅れ時間経過後にプレス信号を前記移動無線機特性試験器から前記移動無線機に前記プレス信号接続ケーブルを介して送信して、前記移動無線機に対して該試験信号のチャンネル周波数と１：１に対応する他のチャンネル周波数の他の試験信号を所定の送信電力で前記移動無線機特性試験器に前記同軸ケーブルを介して送信させ、
前記プレス信号の送信後に前記移動無線機から前記同軸ケーブルを介して送信されてくる他の試験信号の受信電力および周波数偏差を前記移動無線機特性試験器によって測定して前記移動無線機の良否判定を行う、
ことを特徴とする、移動無線機特性試験方法。
【請求項７】
前記遅れ時間が、前記試験信号を前記移動無線機に送信してから該移動無線機における受信チャンネルのオートサーチに要する時間よりも長い時間であることを特徴とする、請求項６記載の移動無線機特性試験方法。
【手続補正２】
【補正対象書類名】明細書
【補正対象項目名】０００９
【補正方法】変更
【補正の内容】
【０００９】
本発明の移動無線機特性試験器は、ハンドマイク接続端子（１１３）またはハンズフリー用端子を備えた移動無線機（１１０）の良否判定を行うための移動無線機特性試験器（１０）であって、前記移動無線機のアンテナ接続端子（１１２）に同軸ケーブル（１３１）を介して接続される試験信号端子（１３）と、前記移動無線機の前記ハンドマイク接続端子または前記ハンズフリー用端子にプレス信号接続ケーブル（３１）を介して接続されるプレス信号端子（１４，１５）と、チャンネルごとに予め定められたチャンネル周波数の試験信号を前記移動無線機に前記同軸ケーブルを介して１チャンネルずつ送信する試験信号送信手段（２２〜２４）と、前記試験信号を送信してから遅れ時間経過後にプレス信号を前記移動無線機に前記プレス信号接続ケーブルを介して送信するプレス信号送信手段（２５）とを具備し、前記移動無線機に、前記プレス信号に応答して前記試験信号のチャンネル周波数と１：１に対応する他のチャンネル周波数の他の試験信号を所定の送信電力で前記移動無線機特性試験器に前記同軸ケーブルを介して送信させることを特徴とする。
ここで、前記他の試験信号に基づいて該移動無線機の良否判定を行う良否判定手段（２６〜２８）をさらに具備してもよい。
前記良否判定手段による良否判定結果を出力するための外部機器と接続される外部機器接続端子（１６，１７）と、前記良否判定手段による良否判定結果を示す良否判定結果出力用データを生成し、該生成した良否判定結果出力用データを前記外部機器に前記外部機器接続端子を介して出力する良否判定結果出力用データ生成手段（２９）とをさらに具備してもよい。
前記良否判定手段が、前記他の試験信号の受信電力および周波数偏差を測定することにより前記移動無線機の良否判定を行ってもよい。
前記遅れ時間が、前記試験信号を前記移動無線機に送信してから該移動無線機における受信チャンネルのオートサーチに要する時間よりも長い時間であってもよい。
本発明の移動無線機特性試験方法は、ハンドマイク接続端子（１１３）またはハンズフリー用端子を備えた移動無線機（１１０）の良否判定を移動無線機特性試験器（１０）を用いて行う移動無線機特性試験方法であって、前記移動無線機のアンテナ接続端子（１１２）と前記移動無線機特性試験器の試験信号端子（１３）とを同軸ケーブル（１３１）を介して接続し、前記移動無線機の前記ハンドマイク接続端子または前記ハンズフリー用端子と前記移動無線機特性試験器のプレス信号端子（１４，１５）とをプレス信号接続ケーブル（３１）を介して接続し、チャンネルごとに予め定められたチャンネル周波数の試験信号を前記移動無線機特性試験器から前記移動無線機に前記同軸ケーブルを介して１チャンネルずつ送信し、前記試験信号を送信してから遅れ時間経過後にプレス信号を前記移動無線機特性試験器から前記移動無線機に前記プレス信号接続ケーブルを介して送信して、前記移動無線機に対して該試験信号のチャンネル周波数と１：１に対応する他のチャンネル周波数の他の試験信号を所定の送信電力で前記移動無線機特性試験器に前記同軸ケーブルを介して送信させ、前記プレス信号の送信後に前記移動無線機から前記同軸ケーブルを介して送信されてくる他の試験信号の受信電力および周波数偏差を前記移動無線機特性試験器によって測定して前記移動無線機の良否判定を行うことを特徴とする。
ここで、前記遅れ時間が、前記試験信号を前記移動無線機に送信してから該移動無線機における受信チャンネルのオートサーチに要する時間よりも長い時間であってもよい。